(57)【特許請求の範囲】
【請求項１】
歯形の石膏模型を切断するための回転手段を有するディスクカッターを備えた石膏模型カッターであって、
作業台を前記ディスクカッターに対して上下動する送り手段を備えることにより、前記石膏模型を下方から上方に切断可能にした石膏模型カッター。
【請求項２】
前記ディスクカッターの前記石膏模型を切断する付近に集塵手段を備えて成る特許請求の範囲第１項記載の石膏模型カッター。
【請求項３】
前記石膏模型の前記ディスクカッターへの位置合わせを行うための切断位置指標手段を備えて成る特許請求の範囲第１項または第２項に記載の石膏模型カッター。
【発明の詳細な説明】
【０００１】
【産業上の利用分野】
本発明は石膏模型カッターに関し、詳細には歯形の石膏模型を切断するための石膏模型カッターに関する。
【０００２】
【従来の技術】
入歯などの歯科用ギプスを作成する場合は歯型の石膏模型をおこして、この模型の必要な歯の部分だけを切断し、それを前記ギプスの雄型として用いる。そして、前記石膏模型の切断においては、従来から石膏模型カッターが用いられている。
【０００３】
石膏模型カッターはディスク状のカッターの一部円周を作業台のスリットから突出して回転させ、人力で石膏模型を作業台に沿わせながら突出したカッターの接線方向へ送ることにより、該模型の切断を行う装置である。なお、作業中に石膏模型が安定するように、通常、作業台と接する石膏模型の歯肉側を予め整形してある。
【０００４】
【発明が解決しようとする課題】
しかし、従来の石膏模型カッターでは、歯の表面あるいは側面からの切断しか行えないため、複雑な形状を有する歯形にカッターを接触する際、カッターの切り込み位置が微妙にずれたり、あるいは歯と歯の間にカッターが挾まるなどして、石膏模型のマージン部あるいは隣接部を傷つけるといった問題点があった。
【０００５】
また、石膏模型を切断するにあたり、切削屑が飛び散るために、作業者の作業性を著しく低下させるといった問題点もあった。
【０００６】
本発明は、上記問題点に着目しなされたものであり、その目的は石膏模型の切断をより正確に、かつ簡易に行える石膏模型カッターを提供することにある。
【０００７】
本発明の他の目的は、石膏模型の切削屑を除去することにより作業性の高い石膏模型カッターを提供することにある。
【０００８】
【課題を解決するための手段】
上記目的を達成するために、本発明によれば、歯形の石膏模型をディスクカッターによって切断するにあたって、前記石膏模型を設置した作業台に、この作業台をディスクカッターに対して上下動する送り手段を設置することによって、前記作業台に設置された石膏模型をディスクカッターの径方向へ送ることができ、その結果、石膏模型の歯肉側からの切断を可能にする石膏模型カッターが提供される。
【０００９】
ここで、上記送り手段とは手動または自動的に作業台をディスクカッターに対して、あるいはディスクカッターを作業台に対して、上下方向へ移動させるための手段である。
【００１０】
また、前記上下方向とは前記ディスクカッターの径方向であって、かつ前記作業台の垂直方向をいう。
【００１１】
また、前記手動とは、人力を駆動力として作業台の上下動を行うことを指し、この場合、前記送り手段は、作業台を振れがなく、かつ滑らかに上下動せしめるための補助的な手段となる。
【００１２】
前記自動的とは、機械的駆動手段によって作業台の移動を行うことを指す。
【００１３】
また、本発明によれば、切断作業中に生じる粉塵を除去するために、ディスクカッターによる石膏模型の切断箇所付近に集塵手段を設けた石膏模型カッターが提供される。
【００１４】
さらに、本発明によれば、石膏模型の切断位置をディスクカッターに合わせるための切断位置指標手段を備えた石膏模型カッターが提供される。
【００１５】
上記切断位置指標手段とは、ディスクカッターの切断位置を作業者に視覚的に認知させるものならばなんでも良く、レーザー光線を作業台上の石膏模型の切断位置を線状に投射する光射装置が好ましい。
【００１６】
【作用】
本発明の石膏模型カッターは、石膏模型をディスクカッターのほぼ真上に位置するよう作業台に設置した状態で、送り手段によって前記ディスクカッターの方向へ前記作業台を降下させることによって、前記石膏模型を上下に切断することができる。従って、形状が整形されている歯肉側から切断を行えるので、従来の石膏模型カッターのように歯の表面あるいは側面から切断する場合に較べて、正確で、なおかつ切断位置周辺の損傷の少ない切断を行える。切断位置指標手段を設ければ、切断位置を視覚的に把握できるので、より正確な切断が行える。
【００１７】
また、本発明の石膏模型カッターは、切断作業時に生じる粉塵を集塵手段によって除去することができるため、粉塵が作業に支障を及ぼすことがない。
【００１８】
【実施例】
以下、本発明の好適な実施例を添付図面に基づいて説明する。
【００１９】
図１は本発明にかかる石膏模型カッターＩの透過斜視図である。
【００２０】
集塵用ファン１０は作業台１に設置された集塵口１１より切削作業によって生じた粉塵をホース１２を介して吸塵するためのファンであって、吸塵された塵は、ダスト袋１３に集塵される。なお、集塵口１１は石膏模型の切断箇所付近において任意の位置に方向を変えることができる。そして、ダスト袋１３は集塵ファン１０から着脱可能であるから、塵が溜ると開閉蓋１５をあけてダスト袋１３を交換することができる。ダスト皿１６は本体ケース４から引き出せるようになっており、ディスクカッター２に付着するなどして本体ケース４内に落ちてきた塵を捨てるためのものである。
【００２１】
作業台１には、模型ストッパー５および固定棒２４が配されており、ここに石膏模型６を固定する（図２を参照）。固定するときは、固定棒２４で、石膏模型６を抑え込むように固定する。なお、石膏模型６の歯肉側は、作業台上で安定するように、あらかじめ形状を滑らかに整形してある。
【００２２】
ここで、いわゆるダウエルピンが既に装着されている石膏模型を切断する場合は、図４および図５に示すような専用のトレー１０１を使用するのが切断箇所の位置ずれを防止する上で好適である。ダウエルピン１０４が装着されている石膏模型１０５は、ダウエルピン１０４が邪魔になって作業台上で安定しない。そこで、図４に示すような専用のトレー１０１をダウエルピン使用の石膏模型１０５に装着すればダウエルピン１０４はトレー１０１内に埋没した格好となり、上記の問題は解決される。
【００２３】
トレー１０１は２つに分割された対称の格子状枠１０２とネット１０３からなり、このネット１０３にダウエルピン１０４を挿入できるようになっている。装着後は図５の様態になるが、隙間１０６を上下にカッターが通るため、石膏模型を装着するときは切断位置を隙間１０６にあわせるようにする。
【００２４】
トレー１０１は上記構成のほかにダウエルピンが挿入できる構造であれば、多孔質材料やゴムを利用しても良い。
【００２５】
また、図４および図５の例ではトレー１０１が別個の２つのパーツからなるが、隙間６を設けた構造であれば一体形状であっても良い。
【００２６】
ところで、作業台１の４隅には、送り手段２０が配されており作業台１を上下に移動させることができる。本実施例では、作業台１を手動で上下する。
【００２７】
送り手段２０は送りガイド２１、スプリング２２、案内棒２３からなり、送りガイド２１の一端は作業台１に固着され、また、案内棒２３の一端は本体ケース４に固着されている。スプリング２２は一端が送りガイド２１の一端に係止され、他端は本体ケース４に係止されている。なお、送りガイド２１は中空の管であり、案内棒２３の一部が常時挿入した状態にある。そして、上記の構成から、送りガイド２１と案内棒２３はその長手方向に互いに滑らかにスライドさせることができる。
【００２８】
ディスク窓７は、作業台１を降下させた際に、ディスクカッター２を作業台１上に突出させるためのスリットである。
【００２９】
切断位置指標手段たるレーザー光射装置８は、可視光線を光射する装置であって、石膏模型６の切断位置のあたりをつけるために用いる（図３参照）。あらかじめ、光線がディスクカッター２の位置を光射するように調節する。
【００３０】
次に、装置の使用方法について述べると、作業者はレーザー光射装置８から発せられるレーザーを指標として、切断位置の位置合わせを行いながら石膏模型６を模型ストッパー５および固定棒２４によって作業台１に固定する。
【００３１】
電源スイッチ９をＯＮにすると図示しない電源からモーター３に電気が通電され、モーター３がディスクカッター２に回転力を付勢すると同時に集塵用ファン１０にもプーリー機構１４を介して回転力を付勢する。
【００３２】
そして、人力で作業台１を下方へ押し下げると、ディスク窓７からディスクカッター２が押込量に比例して突出するため、石膏模型６を切断することができる。  このとき、切断は石膏模型６の形状が整形されている歯肉側から行われるので、カッターと模型の接触時に生じがちな位置ずれや石膏模型のひび割れなどを最少限に抑えることができる。また、上記スプリング２２により作業者は適度な抵抗力を受けながら作業台１を押し下げることができる。
【００３３】
切断作業により生じた粉塵は、集塵口１１から吸い上げられ、ダスト袋１３に集塵されるので粉塵によって作業を妨げられることはない。
【００３４】
切断後、作業台１は上記した送り手段を構成しているスプリング２２によって元の位置に復帰することができる。
【００３５】
【発明の効果】
以上述べてきたとおり、本発明の石膏模型カッターは、次ぎのような効果を得ることができる。
【００３６】
作業台をディスクカッターに対して上下方向に送ることができるので、形状が整形されている石膏模型の歯肉側から切断することができ、その結果、歯の表面あるいは側面から切断する場合と較べて切断位置の位置ずれや、石膏模型のマージン部あるいは隣接部の損傷を最小限に抑えることができる。切断位置指標手段を用いれば、視覚的に石膏模型とディスクカッターの位置合わせが行えるので、一層正確な切断が行える。
【００３７】
また、本発明の石膏模型カッターは、切断作業によって生じる粉塵を吸い集めることができるので、粉塵が作業に支障を及ぼすことがなく、かつ、粉塵の人体に体する影響を防ぎ、作業性の高い切断を行うことができる。
【図面の簡単な説明】
【図１】本発明の石膏模型カッターの透過斜視図である。
【図２】本発明の石膏模型カッターの一部上面図である。
【図３】本発明の石膏模型カッターの一部側面図である。
【図４】トレーの上面図である。
【図５】トレーを石膏模型に装着した図である。
【符号の説明】
Ｉ  石膏模型カッター
１  作業台
２  ディスクカッター
２０  送り手段
１０  集塵用ファン
８  レーザー光射装置
１０１  トレー
１０４  ダウエルピン
１０５  石膏模型
【図１】
0003571778.tif 000002
【図２】
0003571778.tif 000003
【図３】
0003571778.tif 000004
【図４】
0003571778.tif 000005
【図５】
0003571778.tif 000006